(57)【要約】【課題】磁気抵抗を低減させることができるブラシレスモータのステータ及びブラシレスモータを提供すること。【解決手段】ステータコア３は、複数のコア片積層体を円筒形状に組み付けて形成されている。コア片積層体はコア片１０を積層して形成されている。ステータコア３はコア片積層体の腕部１２と、該コア片積層体に隣接するコア片積層体の腕部１２とを交互に重合して形成されている。腕部１２は積層方向において互いに溶接されている。腕部１２は先端の内周側が略四角形状に切り欠かれており、腕部１２の先端の外周側には凸部１２ａが形成されている。本体部１１の長手方向には隙間１３ｂが形成され、腕部１２の周方向には隙間１３ｃが形成されている。【選択図】        図１
2004194404.tif 000002
【特許請求の範囲】
【請求項１】
円環部（３ａ）と、該円環部（３ａ）の周方向に沿って等間隔に設けられ該円環部（３ａ）の内周面から径方向内側に沿って延びる複数のティース部（３ｂ）とを備えたブラシレスモータのステータであって、
ティース部（３ｂ）を構成する本体部（１１）と、前記本体部（１１）の径方向外側端部から周方向片側に延びるように形成され円環部（３ａ）を構成する腕部（１２）と、を有するコア片（１０）を、前記腕部（１２）が周方向両側に突出するように積層して形成されたコア片積層体（７）を、隣接するコア片積層体（７）の腕部（１２）が軸線方向に重合するように周方向に複数配列したことを特徴とするブラシレスモータのステータ。
【請求項２】
前記コア片（１０）は前記本体部（１１）の径方向外側が周方向に向かって切り欠かれ、隣接するコア片積層体（７）の前記腕部（１２）の先端部（１２ａ）が配設される切欠部（１５）を備え、
前記切欠部（１５）は周方向の長さが前記本体部（１１）の周方向の長さの半分よりも小さく形成されていることを特徴とする請求項１に記載のブラシレスモータのステータ。
【請求項３】
隣接するコア片積層体（７）の腕部（１２）を軸線方向に重合させた場合に、先端部（１２ａ）は隣接重合する切欠部（１５）との間に周方向及び径方向に隙間（１３ａ，１３ｂ，１３ｃ）を形成させたことを特徴とする請求項２に記載のブラシレスモータのステータ。
【請求項４】
前記コア片（３１）は前記本体部（３３）の径方向外側が周方向に向かって切り欠かれ、隣接するコア片積層体（３６）の前記腕部（３４）の先端部が配設される切欠部（３５）を備え、
前記先端部と前記切欠部（３５）の周方向の対向面（３４ａ，３５ａ）は、隣接するコア片積層体（３６）がその対向面（３４ａ，３５ａ）の間で回動可能なように曲線形状に形成されていることを特徴とする請求項１に記載のブラシレスモータのステータ。
【請求項５】
前記切欠部（３５）の周方向最長部（３５ｂ）の長さが前記本体部（３３）の周方向の長さの半分よりも小さく形成されていることを特徴とする請求項４に記載のブラシレスモータのステータ。
【請求項６】
前記腕部（１２）は周方向両側に交互に突出していることを特徴とする請求項１〜５のうちのいずれか一項に記載のブラシレスモータのステータ。
【請求項７】
前記腕部（１２）は周方向両側に同数突出していることを特徴とする請求項１〜６のうちのいずれか一項に記載のブラシレスモータのステータ。
【請求項８】
前記コア片積層体（７）は同一形状に形成された前記コア片（１０）を表裏して積層することにより前記腕部（１２）を周方向両側に突出していることを特徴とする請求項１〜７のいずれか一項に記載のブラシレスモータのステータ。
【請求項９】
前記コア片（１８，１９）は前記コア片（１８，１９）の積層方向において片側に嵌合凹部（２５，２６）、他側に嵌合凸部（２７，２８）を備えており、前記コア片（１８，１９）は前記嵌合凹部（２５，２６）及び前記嵌合凸部（２７，２８）が互いに嵌合されることによって積層されていることを特徴とする請求項１〜８のうちのいずれか一項に記載のブラシレスモータのステータ。
【請求項１０】
請求項１〜９のうちのいずれか一項に記載のブラシレスモータのステータを備えたことを特徴とするブラシレスモータ。
【発明の詳細な説明】
【０００１】
【発明の属する技術分野】
本発明はブラシレスモータのステータ及びブラシレスモータに関する。
【０００２】
【従来の技術】
従来、インナロータ型ブラシレスモータに用いられるステータとしては、例えば、特許文献１に開示されたものがある。このステータは、内周側に歯片を有する円弧状の素板を外周側縁部の連結部にて所要数連結して成る磁性薄板を複数積層して積層体を形成し、該積層体を円筒形状に形成してステータを形成している。
【０００３】
【特許文献１】
特開２０００−１４０５７号公報（図１）
【０００４】
【発明が解決しようとする課題】
ところが、特許文献１の電機子は、隣接する素板の間に隙間が形成され、該隙間は素板の積層方向に連続している。このような電機子は素板の積層方向に連続した隙間によってステータの磁気抵抗が大きくなり、モータの効率が低下するという問題があった。
【０００５】
本発明は、上記問題点を解決するためになされたものであって、その目的は、磁気抵抗を低減させることができるブラシレスモータのステータ及びブラシレスモータを提供することにある。
【０００６】
【課題を解決するための手段】
上記問題点を解決するため、請求項１に記載の発明は、円環部と、該円環部の周方向に沿って等間隔に設けられ該円環部の内周面から径方向内側に沿って延びる複数のティース部とを備えたブラシレスモータのステータであって、ティース部を構成する本体部と、前記本体部の径方向外側端部から周方向片側に延びるように形成され円環部を構成する腕部と、を有するコア片を、前記腕部が周方向両側に突出するように積層して形成されたコア片積層体を、隣接するコア片積層体の腕部が軸線方向に重合するように周方向に複数配列した。
【０００７】
請求項２に記載の発明は、請求項１に記載の発明において、前記コア片は前記本体部の径方向外側が周方向に向かって切り欠かれ、隣接するコア片積層体の前記腕部の先端部が配設される切欠部を備え、前記切欠部は周方向の長さが前記本体部の周方向の長さの半分よりも小さく形成した。
【０００８】
請求項３に記載の発明は、請求項２に記載の発明において、隣接するコア片積層体の腕部を軸線方向に重合させた場合に、先端部は隣接重合する切欠部との間に周方向及び径方向に隙間を形成させた。
【０００９】
請求項４に記載の発明は、請求項１に記載の発明において、前記コア片は前記本体部の径方向外側が周方向に向かって切り欠かれ、隣接するコア片積層体の前記腕部の先端部が配設される切欠部を備え、前記先端部と前記切欠部の周方向の対向面は、隣接するコア片積層体がその対向面間で回動可能なように曲線形状に形成した。
【００１０】
請求項５に記載の発明は、請求項４に記載の発明において、前記切欠部の周方向最長部の長さを前記本体部の周方向の長さの半分よりも小さく形成した。
請求項６に記載の発明は、請求項１〜５のうちのいずれか一項に記載の発明において、前記腕部を周方向両側に交互に突出した。
【００１１】
請求項７に記載の発明は、請求項１〜６のうちのいずれか一項に記載の発明において、前記腕部を周方向両側に同数突出した。
請求項８に記載の発明は、請求項１〜７のうちのいずれか一項に記載の発明において、前記コア片積層体は同一形状に形成された前記コア片を表裏して積層することにより前記腕部を周方向両側に突出した。
【００１２】
請求項９に記載の発明は、請求項１〜８のうちのいずれか一項に記載の発明において、前記コア片は前記コア片の積層方向において片側に嵌合凹部、他側に嵌合凸部を備えており、前記コア片は前記嵌合凹部及び前記嵌合凸部を互いに嵌合して積層した。
【００１３】
請求項１０に記載の発明は、請求項１〜９のうちのいずれか一項に記載のブラシレスモータのステータをブラシレスモータに用いた。
（作用）
請求項１に記載の発明によれば、隣接するコア片積層体は腕部が軸線方向に重合している。そのため、互いに隣接するコア片積層体は重なり合った腕部を介して磁気回路を形成することができ、隣接するコア片積層体間の磁気抵抗が低減される。
【００１４】
請求項２に記載の発明によれば、本体部の径方向外側の端部はコア片積層体の積層方向において互いに重合する。従って、コア片積層体の積層方向に本体部を連続させることができ、コア片積層体の積層方向における磁気抵抗が減少する。
【００１５】
請求項３に記載の発明によれば、隣接するコア片積層体間では先端部と本体部との間に径方向及び周方向に隙間が形成される。従って、互いに隣接するコア片積層体との相対角度を細かく調整することができ、複数のコア片積層体はその径方向内周端がおよそ真円上に配設されるように調整可能となる。
【００１６】
請求項４に記載の発明によれば、隣接するコア片積層体を環状に重合させやすい。
請求項５に記載の発明によれば、本体部の径方向外側の端部はコア片積層体の積層方向において互いに重合する。従って、コア片積層体の積層方向に本体部を連続させることができ、コア片積層体の積層方向における磁気抵抗が減少する。
【００１７】
請求項６に記載の発明によれば、コア片積層体は隣接するコア片積層体と互いの腕部を交互に重合してステータコアが形成される。
請求項７に記載の発明によれば、本体部の周方向両側に略等しい磁気回路が形成される。
【００１８】
請求項８に記載の発明によれば、同一形状のコア片を表裏させてコア片積層体を形成することにより複数種類のコア片を製造する必要がない。
請求項９に記載の発明によれば、積層方向に重なる各コア片が積層状態で保持される。従って、巻線が容易に巻装される。
【００１９】
請求項１０に記載の発明によれば、請求項１〜９のうちのいずれか一項に記載の作用を持つブラシレスモータを得る。
【００２０】
【発明の実施の形態】
（第１の実施の形態）
以下、本発明をインナロータ型のブラシレスモータに具体化した第１の実施の形態を図１〜図７に従って説明する。
【００２１】
図７に示すように、ブラシレスモータ１は、ハウジング２の内側にステータコア３が備えられている。ステータコア３は略円筒形状に形成されており、該ステータコア３の内側にはロータ４が備えられている。ロータ４の回転軸５は、図示しない軸受によりハウジング２に回転可能に支持されている。ロータ４は回転軸５と一体回転可能になっており、ロータ４の表面には、円弧板状に形成された複数のマグネット６が、周方向に取着されている。
【００２２】
ステータコア３は、円環部３ａと、該円環部３ａの周方向に沿って等間隔に設けられ該円環部３ａの内周面から径方向内側に沿って延びる複数のティース部３ｂとを備えている。ステータコア３は複数（本実施形態では１２個）のコア片積層体７（図３参照）を円筒形状に組み付けることによって形成されている。コア片積層体７はステータコア３を形成した際に、該ステータコア３の外周面及びティース部３ｂの径方向内側端面がそれぞれ真円の円弧に沿うようにその形状が設定されている。
【００２３】
各コア片積層体７には、一対のボビン８（図５参照）が取着されており、その周囲には巻線９（図７参照）が巻装されている。各ボビン８は略コ字状に形成されている。ボビン８は軸線方向両側からステータコア３に取着され、ティース部３ｂを被覆している。
【００２４】
コア片積層体７はコア片１０を積層して形成されている。
図２に示すように、コア片１０は本体部１１及び腕部１２を備えている。コア片１０は平板状の金属板を略Ｌ字状に打ち抜いて形成されており、本体部１１は略長方形状に形成され、腕部１２は円弧状に延びるように形成されている。
【００２５】
積層した本体部１１はステータコア３のティース部３ｂを形成している。腕部１２はステータコア３の円環部３ａを形成している。腕部１２の円環部３ａにおける周方向の長さは、円環部３ａをコア片積層体７の数、即ち１２で等分割した長さ未満に設定されている。従って、隣接するコア片積層体７の腕部１２の周方向間隔は、通常僅かに隙間１３ａを有するものとなっている。
【００２６】
本体部１１はステータコア３の形成時における径方向内側に端部としての幅広部１４を備えている。幅広部１４はステータコア３の形成時における周方向の長さが本体部１１のそれより長く形成されている。幅広部１４は端面１４ａが凹状に緩やかに湾曲している。幅広部１４の端面１４ａは真円の円弧を描いている。
【００２７】
本体部１１はステータコア３の形成時における径方向外側端部に腕部１２及び切欠部１５が形成されている。腕部１２及び切欠部１５は、ステータコア３の形成時における本体部１１の周方向一側（図２において右側）及び他側（図２において左側）にそれぞれ形成されている。本体部１１はステータコア３形成時における周方向（本体部１１の短手方向）に向かって長さＸ１だけ切り欠かれており、ステータコア３形成時における径方向（本体部１１の長手方向）に向かって長さＹ１だけ切り欠かれている。尚、長さＸ１は本体部１１の幅方向（図２において左右方向）の長さの半分よりも短く設定されている。
【００２８】
腕部１２は先端の内周側が略四角形状に切り欠かれており、腕部１２の先端の外周側には先端部としての凸部１２ａが形成されている。凸部１２ａは腕部１２の短手方向の幅がＹ１より短い長さＹ２に、周方向への突出量がＸ１より大きい長さＸ２に設定されている。
【００２９】
このように形成されたコア片１０は、図３に示すように互いがそなえる腕部１２がステータコア３の形成時における周方向両側（図３において左右両側）に交互に延設されるように本体部１１を重合して積層されている。従って、本体部１１の両側に延設された腕部１２はコア片積層体７の積層方向において、間隙を挟んで等間隔毎に配設されている。腕部１２はステータコア３の形成時における周方向両側に同数（図３においては４つずつ）延設されるように設定されている。
【００３０】
コア片１０に形成された切欠部１５は、ステータコア３の周方向への切り欠き量が本体部１１の幅方向の長さの半分よりも短く設定されているため本体部１１は反幅広部１４側の先端が互いに積層方向に重なり合っている。
【００３１】
このように形成されたコア片積層体７は、図４に示すように、本体部１１から周方向一側に延出された腕部１２の間隙に隣接するコア片積層体７から周方向他側に延出された腕部１２を挟み込むようにして互いのコア片積層体７を組み付けステータコア３を形成している。ステータコア３の積層方向に重ねられた腕部１２は互いに溶接されている。
【００３２】
凸部１２ａは腕部１２の短手方向の幅がＹ１より短い長さＹ２に、周方向への突出量がＸ１より大きい長さＸ２に設定されているため、図１に示すように互いに隣接するコア片積層体７の間にはステータコア３の径方向に隙間１３ｂが形成され、ステータコア３の周方向に隙間１３ｃが形成される。
【００３３】
隙間１３ｂ，１３ｃは隣接するコア片積層体７の間に形成されているが、ステータコア３はコア片積層体７の腕部１２と、該コア片積層体７に隣接するコア片積層体７の腕部１２とを交互に重合して形成されている。
【００３４】
従って、隣接するコア片積層体７との隙間１３ａ，１３ｂ，１３ｃがコア片積層体７の積層方向において連続しない。
上記したように、第１の実施の形態によれば、以下の効果を有する。
【００３５】
（１）ステータコア３の積層方向において、腕部１２は本体部１１からステータコア３の形成時における周方向両側に交互に延設されており、隣接するコア片積層体７は互いの腕部１２が交互に重ねられて溶接されている。そのため、互いに隣接するコア片積層体７は重なり合った腕部を介して磁気抵抗の低い磁気回路を形成することができる。従って、ステータコア３の磁気抵抗を低減することによりブラシレスモータ１のトルクを上昇させることができる。
【００３６】
（２）互いに隣接するコア片積層体７の間に形成される隙間１３ａ，１３ｂ，１３ｃは磁気抵抗が高くなるが、隙間１３ａ，１３ｂ，１３ｃはコア片積層体７の積層方向に対して連続しない。そのため、磁気抵抗の高くなる箇所がコア片積層体７の積層方向に連続せず、コギングトルクの発生を抑制することができる。
【００３７】
（３）本体部１１はステータコア３の形成時における径方向外側の先端が互いに積層方向に重なり合っている。従って、コア片１０の積層方向において磁気抵抗が減少し、モータのトルクを上昇させることができる。
【００３８】
（４）互いに隣接するコア片積層体７は隙間１３ａ，１３ｂ，１３ｃを有して組み付けられている。そのため、互いに隣接するコア片１０との相対角度を細かく調整することができる。従って、幅広部１４の端部に形成された凹曲面によって描かれる円弧をおよそ真円上に配設することができ、ステータコア３から安定した磁力を発生することができる。
【００３９】
（５）互いに隣接するコア片１０との当接角度を細かく調整することによって幅広部１４の端部に形成された凹曲面が描く円弧をおよそ真円上に配設することができる。従って、低コストで幅広部１４の端部に形成された凹曲面が描く円弧をおよそ真円上に配設しステータコア３から安定した磁力を発生することができる。
【００４０】
（６）本体部１１と腕部１２とは略Ｌ字状の金属板から形成されている。そのため、ステータコア３に形成される磁気回路は本体部１１をステータコア３の形成時における径方向外側に向かい、その後、腕部１２の形成方向へと曲げられる。従って、本体部１１のステータコア３の形成時における径方向外側は磁束密度が疎となり、切欠部１５を形成しても磁気抵抗の影響を少なく抑えることができる。
【００４１】
（７）コア片積層体７は、同一形状に形成されたコア片１０を該コア片１０が備える腕部１２が本体部１１の両側に交互に延設されるように積層することによって形成されている。従って、コア片１０の形状を複数用意する必要がなく、コア片積層体７の製造コストの上昇を抑制することができる。
【００４２】
（８）コア片積層体７は腕部がステータコア３の形成時における周方向両側に交互に突出して形成されている。従って、コア片積層体７は該コア片積層体７と隣接するコア片積層体７と交互に腕部１２が重合し、ステータコア３の剛性を上げることができる。
【００４３】
（９）腕部１２はステータコア３の形成時における周方向両側に同数延設されるように設定されている。そのため、ステータコア３は本体部１１から周方向両側に略等しく磁気回路を形成することができるため磁気抵抗を低く抑えることができ、モータのトルクを上昇させることができる。
【００４４】
（第２の実施の形態）
以下、本発明を具体化した第２の実施の形態を図８及び図９に従って説明する。尚、説明の便宜上、第１の実施の形態と同様の構成についてはその詳細な説明を一部省略する。
【００４５】
図９に示すように、コア片積層体１７は第１コア片１８、第２コア片１９及び最下層コア片２０を積層して形成されている。第１コア片１８及び第２コア片１９は交互に積層して形成されており、最下層コア片２０はコア片積層体１７の最下層に積層されている。
【００４６】
図８に示すように、第１コア片１８は本体部２２及び腕部２３を備えている。本体部２２はステータコア３形成時における径方向内側に端部としての幅広部２４を備えている。幅広部２４はステータコア３の形成時における周方向の長さが本体部２２のそれより長く形成されている。
【００４７】
本体部２２は略長方形状をなしており、幅方向（図８において左右方向）略中央位置には嵌合凹部２５，２６が形成されている。嵌合凹部２５，２６は、円柱形状の凸部によって本体部２２をプレスすることにより形成されており、嵌合凹部２５，２６の下面には該嵌合凹部２５，２６が押し出されることにより嵌合凸部２７，２８が形成されている。
【００４８】
嵌合凹部２５及び該嵌合凹部２５の下面に形成された嵌合凸部２７はステータコア３の形成時における本体部２２の径方向外側端部近傍位置に形成されている。嵌合凹部２６及び該嵌合凹部２６の下面に形成された嵌合凸部２８は幅広部２４の略中央位置に形成されている。嵌合凹部２５，２６及び嵌合凸部２７，２８はステータコア３の軸線方向において巻線９が巻装されない位置に形成されている。
【００４９】
第２コア片１９（図９参照）は第１コア片１８が有する嵌合凹部２５，２６及び嵌合凸部２７，２８をそれぞれ本体部２２の表裏反対側に形成して構成されている。即ち、第１コア片１８を形成する場合に比べて、円柱形状の凸部を本体部２２の反対側（裏面側）からプレスすることにより第２コア片１９が形成されている。
【００５０】
このように形成された第１コア片１８及び第２コア片１９は図９に示すように、互いの嵌合凹部２５，２６と嵌合凸部２７，２８とが嵌合するように交互に積層されており、コア片積層体１７を形成している。コア片積層体１７は第１コア片１８の腕部２３及び第２コア片１９の腕部が本体部２２から該本体部２２に直交する両方向に交互に延設されている。
【００５１】
コア片積層体１７の最下層に形成された最下層コア片２０は貫通孔２９，３０を備えている。貫通孔２９，３０は積層時に嵌合凸部２７，２８に対応する位置に形成されている。従って、コア片積層体１７は軸線方向に嵌合凸部２７，２８が突出することはない。
【００５２】
上記したように、第２の実施の形態によれば、第１の実施の形態に記載の（１）〜（７）の効果に加え以下の効果を有する。
（１）第１コア片１８及び第２コア片１９は互いの嵌合凹部２５，２６及び嵌合凸部２７，２８が嵌合された状態で積層されている。そのため、第１コア片１８と第２コア片１９とが積層された状態で安定して保持され、コア片積層体７に巻線９を容易に巻装することができる。
【００５３】
（２）嵌合凹部２５，２６及び嵌合凸部２７，２８は、ステータコア３において本体部２２の径方向外側端部近傍位置及び幅広部２４の略中央位置に形成されている。従って、巻線９が巻装される位置に嵌合凹部２５，２６及び嵌合凸部２７，２８が位置することがなく、該嵌合凹部２５，２６及び嵌合凸部２７，２８が磁気の流れを妨げるのを抑制することができる。
【００５４】
（３）コア片積層体１７は最下層に最下層コア片２０が積層されている。従って、コア片積層体１７は軸線方向に嵌合凸部２７，２８が突出することがなく、ステータコア３の軸線方向の長さを短くすることができる。また、ステータコア３を安定して載置することができる。
【００５５】
尚、本発明の実施形態は、以下のように変更してもよい。
○上記各実施の形態では、ステータコア３は１２個のコア片積層体７を円筒形状に組み付けて形成されていたが、ステータコア３を形成するコア片積層体７の数はその他の数としてもよい。
【００５６】
○上記各実施の形態では、コア片１０は、腕部１２がステータコア３の形成時における周方向両側に交互に延設されるように本体部１１を重合して積層されていた。しかし、腕部１２が本体部１１のステータコア３の形成時において周方向両側に同数延設されていればよく、積層方向において腕部１２を突出させる順序は任意に設定することができる。
【００５７】
○上記各実施の形態では、隣接するコア片積層体７の腕部１２と本体部１１とを周方向に離間させて隙間１３ａを備えたステータコア３を形成したが、凸部１２ａと切欠部１５とを当接させてステータコアを形成してもよい。このようにステータコアを形成すると、該ステータコアの周方向に隣接するコア片積層体７間の接触面積が増えるためステータコアの周方向における磁気抵抗を減少させることができる。また、凸部１２ａと切欠部１５とを当接させることによってステータコアの積層方向に重合する各層間の接触面積が増えるためステータコアの積層方向における磁気抵抗を減少させることができる。また、ステータコアの各層間の接触面積の増加に伴い各コア片積層体７間の摩擦力が増加され、凸部１２ａと切欠部１５との当接により各コア片積層体７間の相対的な動きが規制されるため、ステータコア３の保持強度を向上させることができる。
【００５８】
○上記各実施の形態では、本体部１１はステータコア３形成時における周方向（本体部１１の短手方向）に向かって長さＸ１だけ切り欠かれており、ステータコア３形成時における径方向（本体部１１の長手方向）に向かって長さＹ１だけ切り欠かれていた。しかし、図１０に示すようなコア片３１を用いてステータコア３２を形成してもよい。
【００５９】
詳述すると、コア片３１が備える本体部３３はステータコア３２の形成時における径方向外側端部に腕部３４及び切欠部３５が形成されている。腕部３４及び切欠部３５は、ステータコア３２の形成時における本体部３３の周方向一側及び他側にそれぞれ形成されている。切欠部３５はステータコア３２の周方向に隣接する腕部３４に対向する対向面としての端面３５ａを備えている。端面３５ａはその凹曲面を描く線が円弧状に形成されている。尚、切欠部３５はステータコア３２の形成時における周方向への切り欠き量が最も大きい位置となる周方向最長部３５ｂにおいてその周方向への切り欠き量が本体部３３の周方向の長さの半分よりも小さく形成されている。
【００６０】
腕部３４に対向する対向面としての端面３５ａを備えている腕部３４はステータコア３２の周方向に隣接する切欠部３５に対向する対向面としての先端面３４ａを備えている。先端面３４ａはその凸曲面を描く線が円弧状に形成されている。先端面３４ａの凸曲面は本体部３３に形成された切欠部３５の凹曲面と摺動可能にその形状が設定されている。このように形成されたコア片３１を用いてステータコア３２を形成することで、コア片３１が積層され互いに隣接する各コア片積層体３６を容易に相対回転させて環状に形成することができる。
【００６１】
○上記第２の実施の形態では、コア片積層体１７の最下層に最下層コア片２０を積層した。しかし、最下層コア片２０を用いず、コア片積層体１７の最下層に第１コア片１８或いは第２コア片１９を用いてもよい。
【００６２】
○上記第２の実施の形態では、両嵌合凹部２５，２６及び両嵌合凸部２７，２８がそれぞれ本体部２２の同一平面上に形成されていたが、積層されたコア片をその状態で保持することができればよい。従って、例えば本体部２２の同一平面上に嵌合凹部と嵌合凸部とをそれぞれ形成したものでもよい。
【００６３】
上記各実施形態から把握できる技術的思想を以下に記載する。
（イ）前記嵌合凹部及び前記嵌合凸部は巻線が巻装されない位置に形成されていることを特徴とする請求項７に記載のブラシレスモータのステータ。この構成によれば、巻線の軸中心を流れる磁気の流れを嵌合凹部及び嵌合凸部が妨げることがない。従って、ステータから発生される磁力が減少することを抑制することができる。
【００６４】
【発明の効果】
以上詳述したように、本発明によれば、磁気抵抗を低減させることができるブラシレスモータのステータ及びブラシレスモータを提供することができる。
【図面の簡単な説明】
【図１】コア片の連結状態を表す説明図。
【図２】コア片の平面図。
【図３】コア片積層体の斜視図。
【図４】コア片積層体の正面図。
【図５】ボビンの説明図。
【図６】ステータコアの平面図。
【図７】ブラシレスモータの断面図。
【図８】第２の実施の形態のコア片の平面図。
【図９】第２の実施の形態のコア片積層体の断面図。
【図１０】別例のコア片積層体の平面図。
【符号の説明】
３ａ…円環部、３ｂ…ティース部、７…コア片積層体、１０…コア片、１１…本体部、１２…腕部、１２ａ…先端部としての凸部、１５…切欠部、１８…第１コア片、１９…第２コア片、２５，２６…嵌合凹部、２７，２８…嵌合凸部、３４…腕部、３４ａ…対向面としての先端面、３５…切欠部、３５ａ…対向面としての端面、３５ｂ…周方向最長部、３６…コア片積層体。
【図１】
2004194404.tif 000003
【図２】
2004194404.tif 000004
【図３】
2004194404.tif 000005
【図４】
2004194404.tif 000006
【図５】
2004194404.tif 000007
【図６】
2004194404.tif 000008
【図７】
2004194404.tif 000009
【図８】
2004194404.tif 000010
【図９】
2004194404.tif 000011
【図１０】
2004194404.tif 000012